(57)【要約】【課題】防滴構造を有する顕微鏡を提供すること。【解決手段】対物レンズ部１ｂを含む結像レンズユニット１と、前記対物レンズ部１ｂの周辺部に配置された照明光学系３と、前記結像レンズユニット１と前記照明光学系３を内蔵し、前記対物レンズ部１ｂ側に開口部９を有する筐体６と、前記開口部９に配設されたカバー部材５とからなり、前記カバー部材５には、前記照明光学系３に用いるレンズ部５ａと前記対物レンズ部１ｂに光を入射する光透過部５ｂとが一体に形成されていること。【選択図】  図１
2004151255.tif 000002
【特許請求の範囲】
【請求項１】
対物レンズ部を含む結像レンズユニットと、
前記対物レンズ部の周辺部に配置された照明光学系と、
前記結像レンズユニットと前記照明光学系を内蔵し、前記対物レンズ部側に開口部を有する筐体と、
前記開口部に配設されたカバー部材とからなり、
前記カバー部材には、前記照明光学系に用いるレンズ部と前記対物レンズ部に光を入射する光透過部とが一体に形成されていることを特徴とする防滴構造を有する顕微鏡。
【請求項２】
前記結像レンズユニットにＣＣＤカメラユニットを結合し、前記筐体内に収納したことを特徴とする請求項１に記載の防滴構造を有する顕微鏡。
【請求項３】
前記照明光学系の光源にＬＥＤを用いたことを特徴とする請求項１又は２に記載の防滴構造を有する顕微鏡。
【請求項４】
前記照明光学系の光源の電源部を筐体内に内蔵したことを特徴とする請求項３に記載の防滴構造を有する顕微鏡。
【請求項５】
前記カバー部材の前記光透過部が凸レンズ又は凹レンズであることを特徴とする請求項１乃至４の何れか１項に記載の防滴構造を有する顕微鏡。
【発明の詳細な説明】
【０００１】
【発明の属する技術分野】
本発明は、顕微鏡に関し、特に防滴構造を有する顕微鏡に関する。
【０００２】
【従来技術】
医療、学術、産業等の各種分野において、例えば人の皮膚、微細な生物、あるいは集積回路等のような被観察物の表面若しくは表面層をそれがあるままの位置で拡大して観察する為の拡大観察用の顕微鏡（対物具）が知られている。特許第３０１６５８４号公報（特許文献１）に開示されている顕微鏡では、対物レンズの周囲に光源を配置し、対物レンズの前方に導光キャップを設置している。そして導光キャップの先端部に照射孔を設けて、導光キャップ内を導かれた照明光を照明孔から被観察物に照射している。
【０００３】
また、筐体内に観察光学系と照明装置を有し、照明装置の前方に照明装置の光学系を配し、筐体の先端に開口を有するものもあった。このタイプの防敵構造として、観察光学系と照明装置の光学系の前面全体にカバーを設けることも考えられるが、照明装置の光学系の前にカバーをすることは避けたかった。
【０００４】
【特許文献１】
特許第３０１６５８４号（第３頁、第１図）
【０００５】
【発明が解決しようとする課題】
この種の顕微鏡は工作機械などに取付けられ、加工状態をその場で観察することが行われている。工作機械などにこれらの顕微鏡を取り付けた場合、工作機械は切削油等の油を使って加工するため、工作機械から飛散した油（液滴）が前述の照射孔を通過して観察に用いられる顕微鏡や照明装置の光学系に付着してしまい顕微鏡や照明装置を分解して掃除しなければならない等の問題を生じている。
【０００６】
本発明は、上記問題に鑑みて行われたものであり、防滴構造を有する顕微鏡を提供することを目的としている。
【０００７】
【課題を解決するための手段】
上記目的を達成するために、本発明では、対物レンズ部を含む結像レンズユニットと、
前記対物レンズ部の周辺部に配置された照明光学系と、
前記結像レンズユニットと前記照明光学系を内蔵し、前記対物レンズ部側に開口部を有する筐体と、
前記開口部に配設されたカバー部材とからなり、
前記カバー部材には、前記照明光学系に用いるレンズ部と前記対物レンズ部に光を入射する光透過部とが一体に形成されていることを特徴とする防滴構造を有する顕微鏡を提供する。
【０００８】
また、本発明の防滴構造を有する顕微鏡は、前記結像レンズユニットにＣＣＤカメラユニットを結合し、前記筐体内に収納した構成とすることが好ましい。
【０００９】
また、本発明の防滴構造を有する顕微鏡は、前記照明光学系の光源にＬＥＤを用いることが好ましい。
【００１０】
また、本発明の防滴構造を有する顕微鏡は、前記照明光学系の光源の電源部を筐体内に内蔵していることが好ましい。
【００１１】
また、本発明の防滴構造を有する顕微鏡は、前記カバー部材の前記光透過部が凸レンズ又は凹レンズで構成されていることが好ましい。
【００１２】
【発明の実施形態】
本発明の実施の形態を図面を参照しつつ説明する。
【００１３】
（第１実施の形態）
図１は、本発明の第１実施の形態に係る防滴構造を有する顕微鏡の図２のＡ−Ａ線に沿った断面概略図である。図２は、図１の顕微鏡を標本側から見た概略構成図を示す。
【００１４】
図１、図２において、結像レンズユニット１の上端部１ａにＣＣＤカメラユニット２が取り付けられ、結像レンズユニット１の対物レンズ部を構成する下端部１ｂの外周にＬＥＤ照明ユニット３が設けられている。ＬＥＤ照明ユニット３は結像レンズユニット１の下端部１ｂを外嵌する上板部３ａと円筒部３ｂとの一体構造体と、円筒部３ｂの下端内周部に取付けられたカバー部材５とを有している。カバー部材５はＬＥＤ照明ユニット３に設けられた複数の照明用のＬＥＤ４に対応したレンズ部５ａと標本からの反射光を結像レンズユニット１に導く光透過部５ｂが一体に形成されている。ＬＥＤ照明ユニット３の内部構造については後述する。結像レンズユニット１、ＣＣＤカメラユニット２、ＬＥＤ照明ユニット３及びカバー部材５が円筒形の筐体６に収納されて顕微鏡Ｘが構成されている。
【００１５】
筐体６は１つの下部筐体部品６ａ、２つの上部筐体半体６ｂ、６ｃとの３つの筐体部品からなり、下部筐体部品６ａは円筒形であり、上部筐体半体６ｂ、６ｃは上底を有する有底円筒半体であり、それぞれ下部筐体部品６ａの上周縁に結合されて筐体６を構成している。組立ての際にそれぞれの結合部７ａ、７ｂはシール部材８ａ、８ｂでシールされて外部から油滴、水滴等の液滴あるいは塵埃等が浸入しないように構成されて防滴性を確保している。円筒形の下部筐体部品６ａの下端部には、開口部９が形成されている。下部筐体部品６ａの下端内側に延びる開口部周縁部９ａには、シール部材１０が配置され、カバー部材５の外周部に当接して開口部９を防滴構造としている。下部筐体部品６ａの内周面には、ＬＥＤ照明ユニット３の円筒部３ｂの外周ネジ部１１と羅合されるネジ部１２が形成されている。下部筐体部品６ａとＬＥＤ照明ユニット３とをネジ部１１、１２で螺合させることで、ＬＥＤ照明ユニット３を下部筐体部品６ａに固定すると共に、ＬＥＤ照明ユニット３の円筒部３ｂの下端でカバー部材５をシール部材１０を介して下部筐体部品６ａの開口部周縁部９ａに圧接して、油滴、水滴若しくは塵埃の浸入を防止する防滴構造としている。このように、下部筐体部品６ａ、上部筐体半体６ｂ、６ｃそれぞれの組立て結合部７ａ、７ｂ及びカバー部材５とシール部材１０とによって、顕微鏡Ｘは防滴構造を達成している。
【００１６】
ＣＣＤカメラユニット２及びＬＥＤ照明ユニット３への配線１４は、筐体６の側面に取付けられたシールブッシュ１５（例えば、ゴムブッシュ等）を通じて顕微鏡Ｘ内に配線されている。また、ズーム調整用のツマミ１６も調整棒１７を筐体６の側面に取付けられたブッシュ１８（例えば、ゴムブッシュ等）を通じて結像レンズユニット１に接続することによって防滴構造を達成している。
【００１７】
対物レンズ部１ｂの外周部に配置された、ＬＥＤ照明ユニット３は、円周方向に略等間隔に１２個の照明用のＬＥＤ４が基板１９にそれぞれ取り付けられている。略円板状のカバー部材５には、上記ＬＥＤ４の位置に対応して、１２個のレンズ部５ａが形成されている。それぞれのレンズ部５ａは標本の所望の場所にほぼ均一な照明光を照射するようにレンズが形成されている。またＬＥＤ４は基板１９を介してＬＥＤ照明ユニット３に固定されている。
【００１８】
カバー部材５は透明なプラスチック部材（例えば、ポリメチルメタアクリレート（ＰＭＭＡ）やポリカーボネート（ＰＣ）等）を用いた射出成形等によりレンズ部５ａと光透過部５ｂを形成することで安価に製造することができる。また、プラスチックを侵すような溶剤が使われる環境では、ガラス等の溶剤に強い材料で形成されたカバー部材５を用いても良い。
【００１９】
カバー部材５の光透過部５ｂは、平板状であっても良いし、標本からの反射光のフレア防止のため曲率を有しているもので、断面が平行面（光透過部５ｂの上面と下面とが平行）であっても良い。また、結像レンズユニット１の下端部１ｂを構成する対物レンズ部の一部として凸レンズや凹レンズを有していても良い。
【００２０】
照明用光源はＬＥＤ４以外に、ハロゲンランプ光やその他の光を光ファイバー等で顕微鏡の筐体内に導入し、ＬＥＤ４と同等の光源位置に光ファイバーの先端部を配置することもできる。光ファイバー等で円周方向にほぼ均一な光源配置が取れるような場合には、レンズ部５ａを個別に設ける代わりに、レンズ部５ａを同心円状の一体レンズとしても良い。
【００２１】
このように構成された照明光学系を内蔵した防滴構造を有する顕微鏡は、工作機械等の油滴や水滴等の液滴のある環境下に設置しても、対物レンズ等の光学系を汚染することがない。カバー部材５が汚れた場合には、油を拭き取るなり洗浄することのみで再び明瞭な映像が得られるので、分解などの手間が省け保守性が向上する。
【００２２】
（第２実施の形態）
次に、本発明の第２実施の形態に関して説明する。
【００２３】
本実施の形態は、本発明を実体顕微鏡に適用した例である。
【００２４】
図３は、本発明の第２実施の形態に係る防滴構造を有する双眼実体顕微鏡の部分断面図を示し、図４は、図３の双眼実体顕微鏡を標本側から見た概略構成図である。
【００２５】
図３、図４において、双眼実体顕微鏡Ｙの略円筒状の筐体２０の内部に周方向に略等間隔で複数個（本実施の形態では、６個）配置された照明用のＬＥＤ２２の光は、筐体２０の下端部に設けられた略円板状のカバー部材２４の外周部に形成されたレンズ部２４ａを通して不図示の標本を照明する。標本から反射された光は、カバー部材２４の光透過部２４ｂを通して、結像レンズユニット２６に入り、不図示の結像光学系を介して観察光学系２８、２９で観察される。照明用のＬＥＤ２２は基板３０に固定され、不図示の固定治具によって、筐体２０内部の所定の位置に固定されている。カバー部材２４は、筐体２０の下端部にシール材３２（例えば、接着剤）によりまたはシール部材３２を介して固定されている。このようにして照明光学系を内蔵した防滴構造を有する顕微鏡（双眼実体顕微鏡）が構成されている。
【００２６】
カバー部材２４のレンズ部２４ａは、ＬＥＤ２２の光を標本の所望の領域をほぼ均一に照明するようなレンズ性能を有している。カバー部材２４の光透過部２４ｂは、平行平面で形成されていても良いし、凸レンズ又は凹レンズであっても良い。
【００２７】
光源であるＬＥＤ２２は消費電力が非常に小さい為、基板３０上にボタン電池３４を設け、スイッチ３６で点灯、消灯を行っている。このように、ボタン電池３４を内蔵することによって、電源コードが不要となり、観察場所を選ばず使用可能となる。
【００２８】
また、第１実施の形態と同様に、カバー部材２４はプラスチック部材の成形品でもガラス部材のどちらを用いても良い。
【００２９】
このように構成された照明光学系を内蔵した防滴構造を有する双眼実体顕微鏡は、油敵や水滴等が顕微鏡内部に達することがない。カバー部材２４の表面が汚れた場合には、油を拭き取るなり洗浄することのみで再び明瞭な映像が得られるので、顕微鏡内部の洗浄のための分解などの手間が省け保守性が向上する。
【００３０】
なお、上述の実施の形態における照明用のＬＥＤの数や配置は所望の照明特性が得られるように適宜変更が可能である。例えば、直線的にＬＥＤを配置しても良い。
【００３１】
なお、上述の実施の形態は例に過ぎず、この構成や形状に限定されるものではない。本発明の範囲内において適宜修正、変更が可能である。
【００３２】
【発明の効果】
上述のように、本発明では、防滴構造を有する顕微鏡を提供することができる。
【図面の簡単な説明】
【図１】本発明の第１実施の形態に係る防滴構造を有する顕微鏡の図２のＡ−Ａ線に沿った断面概略図である。
【図２】図１の顕微鏡を標本側から見た概略構成図を示す。
【図３】本発明の第２実施の形態に係る防滴構造を有する双眼実体顕微鏡の部分断面図を示す。
【図４】図３の双眼実体顕微鏡を標本側から見た概略構成図である。
【符号の説明】
１              結像レンズユニット
２              ＣＣＤカメラユニット
３              ＬＥＤ照明ユニット
４、２２        ＬＥＤ
５、２４        カバー部材
５ａ、２４ａ    レンズ部
５ｂ、２４ｂ    光透過部
６、２０        筐体
６ａ            下部筐体部品
６ｂ、６ｃ      上部筐体半体
７ａ、７ｂ      結合部
８ａ、８ｂ      シール部材
９              開口部
１０、３２      シール部材
１１、１２      ネジ部
１４            配線
１５            シールブッシュ
１６            ズーム調整用ツマミ
１７            調整棒
１８            ブッシュ
１９、３０      基板
２６            結像レンズユニット
２８、２９      観察光学系
３４            ボタン電池
３６            スイッチ
Ｘ              顕微鏡
Ｙ              双眼実体顕微鏡
【図１】
2004151255.tif 000003
【図２】
2004151255.tif 000004
【図３】
2004151255.tif 000005
【図４】
2004151255.tif 000006